【事件の表示】
　特許第２９６３０３６号「ディスクカートリッジ」の請求項１ないし４に係る特許に対する特許異議の申立てについて、次のとおり決定する。
【結　論】
　特許第２９６３０３６号の請求項１ないし４に係る特許を維持する。
【理　由】
１．手続きの経緯
　出願　　　　　　　平成２年４月１７日
　特許権設定登録　　平成１１年８月６日
　特許異議の申立て　平成１２年４月１２日
　　　（異議申立人松本信雄）
　取消理由通知　　　平成１２年８月９日
　特許異議意見　　　平成１２年１０月２０日
　
２．本件発明
　本件特許第２９６３０３６号明細書の特許請求の範囲の請求項１〜４に係る発明（以下、「本件発明」という。）は、その特許請求の範囲の請求項１〜４に記載された次のとおりのものである。
「【請求項１】ディスク状記録媒体が収納された合成樹脂製のケースと、金属薄板を断面コの字形に折り曲げて形成され、前記ケースに形成されたヘッド挿入穴を開閉するためのシャッタと、このシャッタに取り付けられ、シャッタの開閉方向に滑るようにして前記ケースの端縁と摺接する合成樹脂製のスライダーとを備えたディスクカートリッジであって、前記スライダーは、前記シャッタを支持するシャッタ支持部と、このシャッタ支持部の一端から伸設された伸設部とを有し、この伸設部先端に、シャッタを開方向に移動させるための開閉ピンと当接する当接突起部が形成されるとともに、この当接突起部の下方に、前記開閉ピンが落ち込むように前記ケースの端縁に形成された逃げ凹みの深みに略等しい長さの腕部を介してその逃げ凹みの底部よりも前記ケース内方側に位置する係合突起部が一体形成されていることを特徴とするディスクカートリッジ。
【請求項２】シャッタ支持部のシャッタ開方向側に、シャッタを閉止方向に付勢する弾性部材が係合可能であることを特徴とする請求項１に記載のディスクカートリッジ。
【請求項３】係合突起部が、逃げ凹みの底部の長さよりも長く形成されていることを特徴とする請求項１又は２のいずれかに記載のディスクカートリッジ。
【請求項４】係合突起部の先端が、シャッタの開放時においてもケースに形成された案内係合部と係合する長さを有することを特徴とする請求項３に記載のディスクカートリッジ。」
　
３．特許異議申立ての理由の概要
　異議申立人松本信雄は、特許明細書の特許請求の範囲の請求項１〜４に係る発明は、甲第１，２号証に記載された発明に基いて、当業者が容易に発明をすることができたものであるので、特許法第２９条第２項の規定により、また、甲第３号証に記載された発明と同一であるから、同法第２９条の２の規定により、特許を受けることができないものであるから、その特許は取り消されるべきものである旨主張している。
　
４．当審の判断
　異議申立人松本信雄が提示した刊行物１（実願昭６２−１６３０５７号（実開平１−７１３６７号）のマイクロフィルム：甲第１号証）には、「実施例について第１〜４図で説明すると、円形状の光ディスク１と、該ディスク１を回転可能に収納する上ケースと下ケースとからなるケース２と、このケース２に形成した記録・再生用のピックアップ挿入孔３や駆動軸挿入孔を開閉するため、ケース上下面を挟持状態でピックアップ挿入孔３を開閉する金属製（ＳＵＳ）のシャッタ板の上板４１及び下板４2をポリアセタール樹脂などの滑性良好な材質のスライダ４3にそれぞれ連結して断面がほぼコ字状に構成したシャッタ４を備え」、「第１図Ａ，Ｂに示すように前記シャッタ４の前端面を覆うスライダ壁厚Ｓをシャッタ開閉用ピンの前後方向への移動範囲Ｐより大きくした壁部を備え」、「前記シャッタ４のスライダ４3としては嵌合スライドする形態としてあるため、厚み方向に突出するリブ状のガイド片１８1を備えて壁厚Ｓを保持するものであるが、スライダ４3のほぼ全長にわたって壁厚Ｓを持ったリブ状のガイド片１８1を設けたり、その開放側の側壁部４4の反対側壁部の一部又は少なくとも端部を壁厚Ｓを持たせたものでもよく、開閉ピン２４の移動範囲Ｐより大きくした壁部を備えた形態としてある。」、「前記スライダ側壁４4とは他方側でケース２内面に形成されたガイド溝１７などの案内部に嵌合する係合凸部１８を前記スライダ４3のガイド片１８1を介して配備してあるが」、「さらに前記シャッタ４の構成には前記スライダ４3に係合孔５と係合突起６とを設け、該係合孔５に挿入される係合片７と係合突起６に嵌入する係合穴８とを前記シャッタ板の一端を折曲げた段状部９にそれぞれ対応配備して、該段状部９の水平面及び鉛直面を前記スライダ４3の内面及び側面に当接して前期係合片７をスライダの係合孔５に挿入し、かつシャッタ板の係合穴８をスライダの係合突起６に嵌入して固着一体化してある。」、「凹面部１４とを持っていて、不使用時にはシャッタ４によってピックアップ挿入孔３が覆われ、ディスクカートリッジを挿入する際に、スライドされピックアップ挿入孔３を開ける状態にスライドされ、ガイド軸のシャフト１５に巻装されたスプリング１６で復元できるように付勢されている。」及び「シャッタ４のあるカートリッジケース２を装置側に組込むと、シャッタ４の開放時に記録再生装置側のシャッタ開閉ピン２４，２４が連動して一方がスライダ端部に当接し、シャッタ４を押し開くが開閉ピン２４がケース２にあるシャッタロック用の凹部２５に嵌入して停止しても」（以上、〔実施例〕の項及び第１〜１０図）が、
　同刊行物２（特開昭６３−１０３４８２号公報：甲第２号証）には、「シャッタ４は、第４図に示すように、ステンレス等の金属薄板を略コの字形に折曲することによって形成される。」及び「スライダ３は、第８図に示すように、前記シャッタ４の上片４ａと下片４ｂの間に嵌装可能な略角柱形に形成されており、両側面の対向位置には、前記下ケース６及び上ケース７の前縁部に沿って突設された案内突条９と摺動可能に嵌装するための凹溝１８，１８ａが凹設されている。また、前記シャッタ４の前片４ｃと対向する前面３ａ上には、前記切欠部１６，１６ａと略等しい間隔を隔てて２つの係止爪１９，１９ａが突設され、これら２つの係止爪１９，１９ａの間の前記透孔１５と対応する位置に、該透孔１５に密に挿通可能な突起２０が突設される。また、第９図に示すように、前記係止爪１９，１９ａを前記切欠部１６，１６ａに係合した場合、前記シャッタ４の側辺部から外側に突出するスライダ３の突出部３ａの前面に、略中央部から一方の側辺に貫通するシャッタ開閉レバー挿入用の凹陥部２１が凹設される。この突出部３ａの先端部には、第１０図に示すように、シャッタ戻しばねの一端を掛止するための掛止ピン２３が突設される。このスライダ３は、例えばナイロン、四フツ化エチレン、ポレエチレン、ポリアセタール、ポリプロピレンの如き滑性に優れた合成樹脂、あるいは滑性に優れた金属材料等、任意の材料によって形成することができる。スライダ３は、第１１図に示すように、凹溝１８，１８ａを案内突条９に跨設することによって、カートリッジケース１の前縁部に摺動可能に取り付けられる。また、シャッタ４は、上片４ａ及び下片４ｂをカートリッジケース１の両面に各々それぞれ重合して前片４ｃの裏面をスライダ３の前面３ａに当設し、このスライダ３の前面３ａに突設された係止爪１９，１９ａを前記シャッタ４の切欠部１６，１６ａに係合することによって、ワンタッチで前記スライダ３に固着される。」（以上〔実施例〕の項及び第１〜１２図）が、
　同刊行物３（特開平３−２２４１６７号公報（特願平１−１７１８１８号・平成１年７月５日出願〔優先権主張〕、特願平１−３３８１６３号・平成１年１２月２８日出願〔優先権主張〕、特願平１−３３８１６４号・平成１年１２月２８日出願〔優先権主張〕、特願平１−３３８１６６号・平成１年１２月２８日出願〔優先権主張〕、実願平１−１５０１５５号・平成１年１２月２８日出願〔優先権主張〕）：甲第３号証）には、「第２２図に示すように、このディスクカートリッジ６は、主として硬質プラスチック製のカートリッジケース２１と、このカートリッジケース２１内に回転可能に収納された両面記録形の光ディスク７と、カートリッジケース２１の前縁部９に摺動可能に取り付けられたスライダ２２と、このスライダ２２に固着され、閉鎖位置より一方向に摺動してカートリッジケース２１に開設された窓孔１０を開閉するシャッタ１１と、シャッタ１１の先端部を押えるシャッタ押え板１８とから構成されている。」、「前記下ハーフ８ｂの前縁部９には、前記接合用壁２３，２４よりもやや低い案内レール２５が一直線状に形成され、そのシャッタ閉鎖側の端部に」、「シャッタ１１は、第２７図および第２８図に示すように、ステンレス等の薄板をコの字形に折り曲げることによって、前記窓孔１０の全体を同時」、「スライダ２２は、第２９図に示すように、幅広の前面部３１と幅狭の後面部３２とこれらをつなぐ連結部３３とから構成されており、これら各部によって形成される凹溝３４ａ，３４ｂ内に前記案内レール２５を内装できるようになっている。　前面部３２は、第３０図および第３１図に示すように、前記窓孔１０の幅Ｗよりもやや大きな長さlと前記補強部２７の厚さＴ1と同じかあるいはこれよりも狭い幅Ｔ２に形成されたヘッド挿通部３５と、前記シャッタ１１の内幅と略等しい幅に形成されたシャッタ取付部３６と、このシャッタ取付部３６の先端部に形成されたテーパ部３７と、前記ヘッド挿通部３５を介して前記シャッタ取付部３６と反対側に形成されたピン係合部３７ａとからなる。ピン係合部３７ａは、シャッタ取付部３６とほぼ同幅に形成される。」、「テーパ部３７側の端部には、第３１図に示すように、バネ係止部３２ｂが突設されている。前記スライダ２２は、例えばナイロンあるいはポリアセタールのように、滑性に優れた合成樹脂をもって一体に形成される。」、「カートリッジホルダ３内にディスクカートリッジ６を挿入すると、まず第３２図に示すように、一方のピン４ａが閉止位置にあるスライダ２２のピン係合部３７ａの外面に当接されるとともに、」（以上、〔実施例〕の項及び第２２〜３２図）及び「例えば、前記各実施例においては、スライダ２２の後面部３２および連結部３３をスライダ２２のほぼ全長にわたって形成したが、第４５図に示すように、スライダ２２の両端部にのみこれら後面部３２および連結部３３を形成することもできる。本例のスライダを用いると、第４６図に示す」、「また、第４７図に示すように、スライダ２２の両端部よりその長さ方向にストッパ１０３と案内部１０４とを突設し、前記ストッパ１０３の先端」、「また、前記各実施例においては、シャッタ保持部材５２によってシャッタ１１を全開位置に保持す���ようにしたが、第４９図に示すように、カートリッジケース２１の前縁部９の、シャッタ１１が全開位置まで移動したときにピン４ａまたは５ａが移動する部分にピン嵌合凹部１０６を凹設し、当該ピン嵌合凹部１０６内にピン４ａまたは５ａを落し込むことによって、シャッタ１１を全開位置に保持するようにすることもできる。」（以上、〔実施例〕の項及び第４１〜５２図、なお、第４１〜５２図及びこれらに関する事項についての記載が、優先権主張の元となった出願の明細書及び図面のいずれにも存しないから、上記記載事項についてはこれら優先権主張は認められない。）ことが、
それぞれ記載されている。
　そこで、本件発明と刊行物１〜３に記載された発明（上記優先権主張が認められない記載事項に係る発明は、本件出願より後願であるから対比対象発明から除外する。）とを対比すると、後者のいずれも、少なくとも前者の必須の構成である「この当接突起部の下方に、前記開閉ピンが落ち込むように前記ケースの端縁に形成された逃げ凹みの深みに略等しい長さの腕部を介してその逃げ凹みの底部よりも前記ケース内方側に位置する係合突起部」を具備していない。
　そして、前者は上記必須の構成を具備することにより、後者のいずれからも予想できない「シャッタの開放が終了した開閉ピンが逃げ凹みに完全に落ち込んでこれに確実に係合される。したがって、開閉ピンはスライダーと係合し、シャッタの開放状態を保持することができる。」という明細書記載のとおりの特有の作用効果を奏するものであるから、前者が後者から容易に発明をすることができたものであるとも、前者と後者のいずれかが同一であるともすることはできない。
　
５．むすび
　以上のとおりであるから、特許異議申立ての理由及び証拠によって、本件発明の特許を取り消すことはできない。
　また、他に本件発明の特許を取り消すべき理由を発見しない。
　よって、結論のとおり決定する。
【異議決定日】
平成１２年１１月１４日（２０００．１１．１４）